(57)【特許請求の範囲】
【請求項１】
複数頁の原稿を予め定められた面付け情報に基づいて面付けして印刷用紙へ印刷する前に、画像確認用印刷として、前記印刷用紙へ印刷するために前記複数頁の原稿が面付けされた全画面画像を示す全画面画像情報を受け付ける受付手段と、
予め縦横方向が定義された前記印刷用紙上の縦横方向の頁数を示す頁数情報、及び製本時の見開き方向を示す見開き方向情報を入力する入力手段と、
前記入力手段により入力された前記頁数情報及び前記見開き方向情報に基づいて、前記全画面画像の前記縦横方向の分割数を演算する演算手段と、
前記演算手段により演算された前記分割数に基づいて、前記受付手段により受け付けられた前記全画面画像情報により示される全画面画像を分割することで、前記印刷用紙よりもサイズが小さい複数の記録用紙へ各々印刷するための複数の分割画像情報を生成する全画像情報分割手段と、
前記複数の分割画像情報を天地の情報が同じもの同士の２つの群に分類したとき、前記２つの群のうち一方の群の前記分割画像情報により示される画像の天地方向を反転させる反転手段と、
前記複数の分割画像情報の各々に含まれる前記原稿の前記見開き方向の中央部が前記記録用紙の前記見開き方向に対応する方向の中央部に位置するように、前記複数の分割画像情報の各々に含まれる前記原稿の前記記録用紙上の画像記録位置を補正する補正手段と、
を有する画像処理装置。
【請求項２】
前記面付け情報から、綴じ幅を示す綴じ幅情報、及び背幅を示す背幅情報を取得する取得手段をさらに有し、
前記補正手段は、前記取得手段により取得された前記綴じ幅情報により示される綴じ幅及び前記背幅情報により示される背幅、並びに、前記記録用紙の前記見開き方向寸法及び前記分割画像情報に含まれる前記原稿の前記見開き方向寸法に基づいて、当該原稿を前記記録用紙に画像記録した場合の余白の幅を算出し、算出した前記余白の幅及び前記綴じ幅に基づいて前記記録用紙上の画像記録位置を補正する請求項１記載の画像処理装置。  
【請求項３】
前記補正手段は、前記綴じ幅をＴ、前記背幅をＳ、前記記録用紙の前記見開き方向寸法をＬ、前記分割画像情報に含まれる前記原稿の前記見開き方向の寸法をＧとして前記余白の幅Ａを（１）式に基づいて算出し、算出した前記余白の幅Ａと前記綴じ幅Ｔの１／２との差の１／２を補正量として前記記録用紙上の画像記録位置を補正する請求項２記載の画像処理装置。
Ａ＝Ｌ−（Ｔ／２）−Ｓ−２Ｇ・・・（１）
【請求項４】
前記請求項１〜請求項３の何れか１項記載の画像処理装置と、
前記複数の分割画像情報の各々に含まれる前記原稿を、前記記録用紙上の前記補正手段により補正された前記画像記録位置へ各々画像記録する画像記録手段と、
を有する画像処理システム。
【請求項５】
コンピュータを、前記請求項１〜請求項３の何れか１項記載の画像処理装置の制御装置として機能させるプログラム。
【発明の詳細な説明】
【技術分野】
【０００１】
本発明は、画像処理装置、画像処理システム、プログラムに関する。
【背景技術】
【０００２】
例えば、オフセット印刷機等、ＪＩＳ規格でＡ１、Ａ０サイズといった大型サイズの用紙に複数のページ分の画像を印刷する場合、最終画像データは、適用される記録用紙のサイズに合わせて面付けされている。
【０００３】
ところで、オフセット印刷機等で印刷を実行する前に、所謂プルーフ印刷をして画像を確認することがなされている。プルーフ印刷は、ＪＩＳ規格でＡ３サイズ以下の記録用紙に分割して印刷することが多い。
【０００４】
特許文献１には、大型の印刷用紙に複数のページを割り付けて印刷するときのプルーフとして、印刷用紙よりも小サイズのプリント用紙にプリントすることが記載されている。この特許文献１では、製本処理を行う際、プリンタ側でトンボデータ（位置決めデータ）を複数種類準備しておき、各ページの位置を精度よく認識してプリントするという煩雑な処理を行っている。
【先行技術文献】
【特許文献】
【０００５】
【特許文献１】特許第４０４２６３９号公報
【発明の概要】
【発明が解決しようとする課題】
【０００６】
本発明は、中綴じ製本用に複数の頁分の画像が面付けされたいわゆる大張りデータを小さい用紙に分割して出力して校正刷りする際、本構成を有しない場合に比べて、簡単な手順で分割して校正することができる画像処理装置、画像処理システム、プログラムを得ることが目的である。
【課題を解決するための手段】
【０００７】
請求項１に記載の発明は、複数頁の原稿を予め定められた面付け情報に基づいて面付けして印刷用紙へ印刷する前に、画像確認用印刷として、前記印刷用紙へ印刷するために前記複数頁の原稿が面付けされた全画面画像を示す全画面画像情報を受け付ける受付手段と、予め縦横方向が定義された前記印刷用紙上の縦横方向の頁数を示す頁数情報、及び製本時の見開き方向を示す見開き方向情報を入力する入力手段と、前記入力手段により入力された前記頁数情報及び前記見開き方向情報に基づいて、前記全画面画像の前記縦横方向の分割数を演算する演算手段と、前記演算手段により演算された前記分割数に基づいて、前記受付手段により受け付けられた前記全画面画像情報により示される全画面画像を分割することで、前記印刷用紙よりもサイズが小さい複数の記録用紙へ各々印刷するための複数の分割画像情報を生成する全画像情報分割手段と、前記複数の分割画像情報を天地の情報が同じもの同士の２つの群に分類したとき、前記２つの群のうち一方の群の前記分割画像情報により示される画像の天地方向を反転させる反転手段と、前記複数の分割画像情報の各々に含まれる前記原稿の前記見開き方向の中央部が前記記録用紙の前記見開き方向に対応する方向の中央部に位置するように、前記複数の分割画像情報の各々に含まれる前記原稿の前記記録用紙上の画像記録位置を補正する補正手段と、  を有する画像処理装置である。
【０００８】
請求項２に記載の発明は、前記請求項１記載の画像処理装置において、前記面付け情報から、綴じ幅を示す綴じ幅情報、及び背幅を示す背幅情報を取得する取得手段をさらに有し、前記補正手段は、前記取得手段により取得された前記綴じ幅情報により示される綴じ幅及び前記背幅情報により示される背幅、並びに、前記記録用紙の前記見開き方向寸法及び前記分割画像情報に含まれる前記原稿の前記見開き方向寸法に基づいて、当該原稿を前記記録用紙に画像記録した場合の余白の幅を算出し、算出した前記余白の幅及び前記綴じ幅に基づいて前記記録用紙上の画像記録位置を補正する画像処理装置である。
請求項３に記載の発明は、前記請求項２記載の画像処理装置において、前記補正手段は、前記綴じ幅をＴ、前記背幅をＳ、前記記録用紙の前記見開き方向寸法をＬ、前記分割画像情報に含まれる前記原稿の前記見開き方向の寸法をＧとして前記余白の幅Ａを（１）式に基づいて算出し、算出した前記余白の幅Ａと前記綴じ幅Ｔの１／２との差の１／２を補正量として前記記録用紙上の画像記録位置を補正する画像処理装置である。
Ａ＝Ｌ−（Ｔ／２）−Ｓ−２Ｇ・・・（１）
【０００９】
請求項４に記載の発明は、前記請求項１〜請求項３の何れか１項記載の画像処理装置と、前記複数の分割画像情報の各々に含まれる前記原稿を、前記記録用紙上の前記補正手段により補正された前記画像記録位置へ各々画像記録する画像記録装置と、を有する画像処理システムである。
【００１０】
請求項５に記載の発明は、コンピュータを、前記請求項１〜請求項３の何れか１項記載の画像処理装置の制御装置として機能させるプログラムである。
【発明の効果】
【００１１】
請求項１、請求項４、請求項５記載の発明によれば、複数の頁分の画像が面付けされた画像情報を、本構成を有しない場合に比べて、簡単な手順で分割することができる。
【００１２】
請求項３記載の発明によれば、２頁分の画像を記録用紙の折り線を中心の対称に配置することができる。
【図面の簡単な説明】
【００１３】
【図１】本実施の形態に係る画像処理装置の概略構成図である。
【図２】本実施の形態に係る画像処理装置の制御系のハード構成を示す概略図である。
【図３】ＵＩに表示される分割要件の入力を促すための入力画面の正面図である。
【図４】本実施の形態に係る、印刷用紙上の面付け画像（面付けされた画像情報）の面付け状態を示す平面図である。
【図５】図４に示す印刷用紙の表裏面に面付けされた画像の対応図である。
【図６】本実施の形態に係る面付けされた画像情報の分割状態を示す平面図である。
【図７】本実施の形態に係る各プルーフ画像の天地方向を示す平面図である。
【図８】本実施の形態に係る印刷用紙上の画像の配置状態を示す平面図である。
【図９】本実施の形態に係るメインコントロール部におけるプルーフ印刷制御のための機能ブロック図である。
【図１０】本実施の形態に係るプルーフ印刷制御ルーチンを示すフローチャートである。
【図１１】変形例に係る、印刷用紙上の面付け画像（面付けされた画像情報）の面付け状態を示す平面図である。
【発明を実施するための形態】
【００１４】
図１には、本実施の形態に係る画像処理装置１０が示されている。画像処理装置１０は、記録用紙に画像を形成する画像形成装置１２と、原稿画像を読み取る画像読取装置１４とを備えている。なお、画像処理装置１０の機能として、ファクシミリ通信機能２３６を備えていてもよい。
【００１５】
画像処理装置１０は、メインコントロール部２００を備えており、画像形成装置１２を制御する画像形成制御部２４０、画像読取装置１４を制御する画像読取制御部２３８を総合的に制御して、画像読取装置１４で読み取った原稿画像の画像データを一次的に記憶したり、読み取った画像データ、或いはネットワーク通信回線網２０を介して通信等で取得した画像データに基づいて、画像形成装置１２へ送出したりする。
【００１６】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１７】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００１８】
（メインコントロール部２００）
図２は、メインコントロール部２００のハード構成を示すブロック図である。
【００１９】
図２に示される如く、メインコントロール部２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩ３０が接続されている。また、Ｉ／Ｏ２１０には、ハードディスク（ＨＤＤ）２１８が接続されている。ＣＰＵ２０４は、ＲＯＭ２０８やハードディスク２１８等に記録されているプログラムに基づいて動作し、メインコントローラ２００の機能を実現する。なお、該プログラムを格納した記録媒体（ＣＤ−ＲＯＭ、ＤＶＤ−ＲＯＭ等）を操作制御部３８から該プログラムをインストールし、これに基づいてＣＰＵ２０４が動作することにより画像処理機能を実現してもよい。
【００２０】
Ｉ／Ｏ２１０には、タイマ回路２２０、通信回線Ｉ／Ｆ２２２が接続されている。さらに、Ｉ／Ｏ２１０には、デバイス選択Ｉ／Ｆ２３４に接続されている。
【００２１】
デバイス選択Ｉ／Ｆ２３４は、画像読取装置１８を制御する画像読取制御装置２３８、画像形成装置１２を制御する画像形成制御装置２４０の各デバイス制御系に接続されている。
【００２２】
（画像分割処理）
オフセット印刷機用に予め定められた綴じ方によって、冊子を作成できるように割り付けられた大張りデータ、例えば、ＪＩＳ規格のＡ０サイズやＡ１サイズの印刷用紙に割り付け（以下、「面付け」という場合がある）られた画像データの仕上がり画像の確認用として、プルーフ画像を作製することがある（プルーフ印刷）。このプルーフ画像を、Ａ３サイズやＡ４サイズ等の記録用紙に画像形成できる画像形成装置で出力して確認する場合がある。
【００２３】
また、本実施の形態では、複数頁の画像が面付けされた画像情報を分割してＡ３サイズやＡ４サイズ等の印刷用紙へ印刷する。分割の条件としては、印刷用紙に面付けされた縦方向及び横方向の頁数と、隣接する画像の見開き方向が必須となる。このため、印刷用紙の縦横方向を定義する必要がある。
【００２４】
本実施の形態では、前記印刷用紙の長辺が左右となるようにして、当該長辺方向を「横」と定義し、短辺方向を「縦」と定義する。
【００２５】
ここで、プルーフ印刷の指示があり、面付けされた画像情報を受け付けると、ＵＩ３０の表示画面に、図３に示される、前記縦方向及び横方向の頁数と、見開き方向を入力するための入力画面３０Ａが表示されるようになっている。
【００２６】
入力画面３０Ａは、「面付け設定を入力」等のメッセージ画像３１Ａ、「１面あたりの配置ページ数（縦、横、見開き方向）の入力を促すメッセージ画像３１Ｂ、並びに、ユーザーが入力された情報が表示されるボックス画像３１Ｃを備えている。
【００２７】
メインコントロー部２００のＣＰＵ２０４では、入力された情報（横方向の頁数ｍ、縦方向の頁数ｎ、見開き方向「横又は縦」）に基づいて、縦横方向の分割数を演算するようになっている。
【００２８】
このとき、見開き方向情報で指定された方向の頁数情報の１／２が当該方向の分割数Ｘとなり、見開き方向情報で指定されなかった方向の頁数情報が当該方向の分割数Ｙとなる。
【００２９】
図４は、印刷用紙に面付けされた画像の配置の一例が示されている。また、図５は、前記図４の印刷用紙の表裏面の各画像の配置状態をしめしたものであり、上段が印刷用紙の表面、下段が印刷用紙の裏面に割り付けられた各頁の画像である。なお、画像内に示されている白抜き数は、「頁」を表している。
【００３０】
この印刷用紙を所定の折り方、綴じ方で加工することで、頁順の冊子として製本されるように、各頁が割り付けられており、図５の上段及び下段の同一丸付き数字同士が、表裏面として対応する。
【００３１】
この図５では、印刷用紙の横（長辺方向）の頁数ｍが４、縦の頁数ｎが２、見開き方向が「横」となるため、見開き方向である横方向の分割数Ｘが２、縦方向の分割数Ｙが２となる（図６参照）。
【００３２】
（画像反転処理）
また、本実施の形態では、図５の丸付き数字の順番に、プルーフ印刷を行うと、図７に示される如く、後半の４枚の画像の天地が反転することになる。
【００３３】
そこで、本実施の形態では、プルーフ印刷用の頁を天地の情報が同じもの同士の群に分け、2つの群のうち一方の分割画像情報の天地を反転（１８０°反転）させるようにした。記録用紙頁を２つの群に分ける分け方の一例としては、画像データに付された天地情報等を参照して同じ天地方向の頁同士で分けることが挙げられる。
【００３４】
（画像位置補正処理）
さらに、本実施の形態では、図８に示すように、印刷用紙上の画像の配置が分割された領域の中央からずれている場合がある。このような画像のずれは、記録用紙に片面ずつプルーフ印刷するとき、奇数枚目と偶数枚目とで互い違いに画像に位置ずれが生じる場合がある。
【００３５】
そこで、本実施の形態では、図８に示される如く、面付情報の内、綴じ幅情報と背幅情報を取得すると共に、分割した印刷用紙の位置ずれ補正方向の寸法、各画像における位置ずれ補正方向の寸法を読み出し、余白Ａを求めている。この余白Ａと、前記綴じ幅の１／２とを比較することで、補正方向と補正量を得る。
【００３６】
すなわち、図８に示される如く、綴じ幅Ｔの１／２＜余白Ａの場合は、補正方向は余白Ａの方向（図８の右方向）、補正量は綴じ幅Ｔの１／２と余白Ａの差の絶対値の１／２となる。一方、綴じ幅Ｔの１／２＞余白Ａの場合は、補正方向は綴じ幅方向（図８の左方向）、補正量は綴じ幅Ｔの１／２と余白Ａの差の絶対値の１／２となる。
【００３７】
図９は、メインコトロール部２００における、の機能ブロック図が示されている。なお、この図９は、あくまでも、面付けされた画像情報の分割処理、画像反転処理、画像位置補正処理を機能別に分類したものであり、ハード構成を限定するものではない。
【００３８】
図９に示される如く、ＵＩ３０は、入力情報解析部１００に接続されている。このＵＩ３０から入力操作があると、その操作入力情報が入力情報解析部１００へ送出されるようになっている。
【００３９】
入力解析部１００には、面付けされた画像情報受付部１０２（以下、「受付部１０２」という）及び分割要件取得部１０４が接続されている。入力解析部１００では、操作入力情報を解析し、プルーフ印刷を指示する情報の場合は、受付部１０２に対してプルーフ印刷のための面付けされた画像情報を受け付けるために起動を指示する。また、入力解析部１００での操作入力情報の解析の結果が、分割要件である場合は、分割要件取得部１０４が、この入力された分割要件を取得する。
【００４０】
前記受付部１０２は、分割要件入力指示部１０６及び分割処理部１０８に接続されている。受付部１０２では、プルーフ印刷の基礎となる、面付けされた印刷用紙上の全画面の画像情報（面付けされた画像情報）を受け取るようになっており、この受け取り時に分割要件入力指示部１０６を起動する。
【００４１】
分割要件入力指示部１０６では、分割のための必要最小限の要件を、ユーザーに入力を促すため、設定入力画面表示制御部１１０を制御して、ＵＩ３０へ図３に示すような入力画面３０Ａを表示させる。この入力画面３０Ａを見てユーザーは、ＵＩ３０の操作によって、前記分割要件である縦横の頁数情報と、見開き方向情報を入力する。
【００４２】
また、受付部１０２によって受け取った面付けされた画像情報は、分割処理部１０８へ送出されるようになっている。
【００４３】
前記入力情報解析部１００から分割要件取得部１０４が取得した分割要件は、分割数演算部１１２に送出されるようになっている。分割数演算部１１２では、見開き方向情報で指定された方向（本実施の形態では、横向きの印刷用紙の長辺方向）の頁数情報の１／２を当該方向の分割数Ｘとし、見開き方向情報で指定されなかった方向（本実施の形態では、横向きの印刷用紙の短辺方向）の頁数情報を当該方向の分割数Ｙとする。なお、「横向き」とは、印刷用紙の長辺を左右方向、短辺を天地方向と定義したときの長辺に沿った方向である。
【００４４】
前記分割数演算部１１２は、前記分割処理部１０８に接続されている。分割処理部１０８では、前記前画面情報受付部１０２から面付けされた画像情報、並びに前記分割数演算部１１２から分割数Ｘ、Ｙが入力されると、分割処理を実行する。これにより、面付けされた画像情報は、図６に示されるように分割される。この分割は、各頁が画像の位置や相対位置関係等の詳細な情報を必要とせず、印刷用紙を分割しており、その分、分割のための情報量が、トンボ等の面付けのための情報量よりも少なくなっている。
【００４５】
分割処理部１０８は画像反転処理部１１４に接続されている。この画像反転処理部１１４は、前記分割数演算部１１２に接続されており、この分割数演算部１１２で演算した分割数に基づいて、反転指示がなされる。すなわち、本実施の形態では、折り方、綴じ方によって印刷用紙上に天地が反転された状態で割り付けられた画像がそのまま分割され、このままでは、各記録用紙に記録する画像の天地の方向が混在することになる。
【００４６】
そこで、分割数演算部１１２で演算された分割数Ｘ、Ｙ等から、例えば、後半の画像情報の天地を反転することで、全ての画像情報の天地を揃えるようにしている。
【００４７】
画像反転処理部１１４は、画像位置補正処理部１１６に接続されている。この画像位置補正処理部１１６は、画像位置補正量演算部１１８で演算された結果に基づいて、記録用紙上の分割された画像情報の位置の補正を行う。
【００４８】
画像位置補正量演算部１１８は、前記受付部１０２から綴じ幅情報、背幅情報取得部１２０を介して、取得する綴じ幅情報、背幅情報に基づいて、画像位置の補正量を演算する。
【００４９】
すなわち、画像位置補正量演算部１１８では、面付けされた画像情報に付加されている面付け情報から、その一部である綴じ幅情報Ｔ、背幅情報Ｓを取得し、さらに、予め設定される記録用紙の補正方向寸法Ｌ、分割した画像情報の補正方向の寸法Ｇ、分割された画像情報の補正方向の頁数Ｐとし、余白Ａを（１）式に基づいて算出し、この余白Ａの１／２を補正量として、画像位置補正処理部１１６へ送出する。
【００５０】
Ａ＝Ｌ−（Ｔ／２）−Ｓ−２Ｇ・・・（１）
画像位置補正処理部１１６は、画像情報出力部１２２に接続されており、分割処理部１０８で分割され、必要に応じて、画像反転され、かつ画像位置が補正された分割画像情報を画像形成制御部２４８へ送出する。
【００５１】
以下に、本実施の形態の作用を説明する。
【００５２】
図１０は、メインコトロール部２００におけるプルーフ印刷制御ルーチンを示すフローチャートである。
【００５３】
ステップ１５０では、プルーフ印刷の指示があったか否かが判断され、否定判定されると、このルーチンは終了する。また、ステップ１５０で肯定判定されると、ステップ１５２へ移行して、面付けされた画像情報を受け付けたか否かが判断される。
【００５４】
このステップ１５２で肯定判定されると、ステップ１５４へ移行して、ＵＩ３０に、ユーザーに対して分割要件を入力させるための入力画面３０Ａを表示し、ステップ１５５へ移行する。
【００５５】
ステップ１５５では、ユーザーによって分割要件が入力されたか否かが判断され、肯定判定されると、ステップ１５６へ移行して、分割数Ｘ、Ｙを演算する。
【００５６】
次のステップ１５８では、前記ステップ１５６で演算された分割数Ｘ、Ｙに基づいて、画像情報の分割処理を実行する。ここで、本実施の形態では、例えば、印刷用紙の面付けされた画像に対するトンボ等の位置あわせの目印の情報を用いず、印刷用紙の領域を分割している。
【００５７】
ステップ１５８で画像情報の分割処理が終了すると、ステップ１６０へ移行して、分割した画像情報に対して反転が必要か否かが判断される。このステップ１６０で肯定判定されると、ステップ１６２へ移行して画像情報の反転処理が実行される。
【００５８】
すなわち、印刷用紙の面付けされた画像情報を分割していることで、面付けとして、折り方や綴じ方に基づいて画像の天地が反転している場合がある。そこで、本実施の形態では、折り方、綴じ方等に基づいて、画像情報の一部を反転する。例えば、図７では、分割された画像情報の半分の頁の天地が反転しているため、ここでは、面付けされている頁を天地の情報が同じもの同士の群に分け、2つの群のうち一方の画像情報の天地を反転する。
【００５９】
次のステップ１６４では、分割した画像情報に対して、位置補正が必要か否かが判断される。このステップ１６４で肯定判定されると、ステップ１６６へ移行して、綴じ情報Ｔ、背幅情報Ｓを取得し、さらに、ステップ１６８で、予め設定される記録用紙の補正方向寸法Ｌ、分割した画像情報の補正方向の寸法Ｇ、分割された画像情報の補正方向の頁数Ｐとに基づいて、補正方向と、位置補正量を演算し（（１）式参照）、次いで、ステップ１７０へ移行して画像情報の記録用紙上の位置補正処理が実行される。
【００６０】
すなわち、図８に示される如く、本実施の形態では、印刷用紙の面付けされた画像情報を分割しているため、分割された領域内での画像情報の位置が中央になっていない場合がある。そこで、必要な要素情報（綴じ情報Ｔ、背幅情報Ｓ、記録用紙の補正方向寸法Ｌ、分割した画像情報の補正方向の寸法Ｇ、画像情報の補正方向の頁数Ｐ）に基づいて余白Ａを演算することで、補正方向及び補正量を求める。
【００６１】
次のステップ１７２では、分割画像情報を画像形成制御部２４８へ出力し、このルーチンは終了する。
【００６２】
なお、本実施の形態では、図４に示される如く、印刷用紙の片面に８頁（横４頁、縦２頁、見開き方向「横」）に面付けされた面付けされた画像情報を例にとり説明したが、図１１に示される如く、印刷用紙の片面に１６頁（４×２、リピート、天が右）といった面付けがなされた面付けされた画像情報においても、演算によって分割数を求めることで、分割することが可能である。
【符号の説明】
【００６３】
１０    画像処理装置
１２    画像形成装置
１４    画像読取装置
３０  ＵＩ
３０Ａ    入力画面
３１Ａ    メッセージ画像
３１Ｂ    メッセージ画像
３１Ｃ    ボックス画像
１００    入力情報解析部
１０２    （面付けされた画像情報）受付部
１０４    分割要件取得部
１０６    分割要件入力指示部
１０８    分割処理部
１１０    設定入力画面表示制御部
１１２    分割数演算部
１１４    画像反転処理部
１１６    画像位置補正処理部
１１８    画像位置補正量演算部
１２０    綴じ幅情報、背幅情報取得部
１２２    画像情報出力部
２００    メインコントロール部
２０４    ＣＰＵ
２０６    ＲＡＭ
２０８    ＲＯＭ
２１０    Ｉ／Ｏ
２１２    バス
２１４    ＵＩ制御回路
２１８    ハードディスク
２２０    タイマ回路
２２２    通信回線Ｉ／Ｆ
２３４    デバイス選択Ｉ／Ｆ
２３６    ファクシミリ通信機能
２３８    画像読取制御部
２４０    画像形成制御部
【図１】
0005671906.tif 000002
【図２】
0005671906.tif 000003
【図３】
0005671906.tif 000004
【図４】
0005671906.tif 000005
【図５】
0005671906.tif 000006
【図６】
0005671906.tif 000007
【図７】
0005671906.tif 000008
【図８】
0005671906.tif 000009
【図９】
0005671906.tif 000010
【図１０】
0005671906.tif 000011
【図１１】
0005671906.tif 000012